(57)【要約】【課題】エアチューブ及びエアストーンを安定させて、素早い生き餌の装着が可能な釣用バケツの提供。【解決手段】この釣用バケツ１０は、バケツ本体１１を備える。バケツ本体１１に空気供給装置が取り付けられる。バケツ本体１１の内部に収容室３４が区画されている。空気供給装置のエアチューブ１４が上記収容室３４に導かれている。収容室３４は、楕円形状に形成されている。収容室３４の隅部（境界部４１）にチューブ保持部３７が設けられる。チューブ保持部３７は、巻回テープ３８を備える。巻回テープ３８は、エアチューブ１４に巻き付いて保持する。巻回テープ３８はスナップ３９を備えており、巻回テープ３８は、エアチューブ１４を保持した状態が維持される。【選択図】図２
2010273623.tif 000002
【特許請求の範囲】
【請求項１】
生き餌を収容することができる収容室が区画されたバケツ本体と、
収容室の内壁面に設けられ、当該収容室に導入される空気供給用チューブを保持するチューブ保持部とを有し、
当該チューブ保持部は、上記空気供給用チューブを周方向に沿って巻回する帯状部材を備えている釣用バケツ。
【請求項２】
上記帯状部材は、
上記空気供給用チューブを囲繞保持する環状姿勢と、上記空気供給用チューブの保持を開放する開放姿勢との間で姿勢変化可能であり、且つ当該帯状部材を一定の固定力で上記環状姿勢に固定するロック部材を備えている請求項１に記載の釣用バケツ。
【請求項３】
上記ロック部材は、ソケット及び当該ソケットに対して嵌合するスタッドを備えたスナップからなる請求項２に記載の釣用バケツ。
【請求項４】
上記収容室を区画する内壁面は、対向する一対の平面状部並びに各平面状部の一端同士及び他端同士をそれぞれ連続する一対の曲面状部を備えており、
上記チューブ保持部は、上記平面状部と上記曲面状部との境界に配置されている請求項１から３のいずれかに記載の釣用バケツ。
【発明の詳細な説明】
【技術分野】
【０００１】
本発明は、釣りの際に使用されるバケツ、特に生き餌を保存するためのバケツの構造に関するものである。
【背景技術】
【０００２】
近年、イカ釣りが脚光を浴びている。イカ釣りでは、エギと称される疑似餌が使用されることが多いが、生き餌（典型的にはアジ）が使用されることもある。生き餌としてアジが使用される場合には、予め複数尾のアジがバケツ内で泳がされ、保存される。アジが長時間にわたって良好な状態で保存されるために、従来から種々の釣用バケツが提案されている（たとえば、特許文献１及び特許文献２参照）。
【０００３】
釣用バケツは、海水と共にアジを収容する。また、海水に酸素を供給するためにエアポンプが釣用バケツに装着される。エアポンプは、空気供給用チューブを備える。この空気供給用チューブは釣用バケツ内に導かれ、その先端にエアストーンが取り付けられる。
【先行技術文献】
【特許文献】
【０００４】
【特許文献１】特公昭５３−２１６６７号公報
【特許文献２】特開２００１−１００１公報
【発明の概要】
【発明が解決しようとする課題】
【０００５】
釣人は、釣針に生き餌を装着する際に釣用バケツ内で泳ぐアジの中から１尾を選んで取り出さなければならない。しかも、アジは水中から取り出されると急激に衰弱する傾向にあるから、釣人は、アジの取出作業を迅速に行う必要がある。
【０００６】
このとき、釣人は小網を用いてアジを掬うが、この作業は一般に容易ではない。特に初心者は、アジを取り出そうとしたとき、小網でアジを追いかける動作をすることがある。そのような場合、小網や小網を持つ手が空気供給用チューブに接触して、エアストーンが浮き上がったり、釣用バケツの外に出てしまったりすることがある。エアストーンが浮き上がったりすると、アジを掬う作業がますます困難になるし、もし、エアストーンが釣用バケツの外に出てしまうと、釣人はこれをもとに戻さなければならず、これでは、アジを素早く釣針に装着することはできない。そのため、アジが衰弱して生き餌としての価値が低下する。
【０００７】
そこで、本発明の目的は、空気供給用チューブ及びエアストーンを安定させて、素早い生き餌の装着が可能な釣用バケツを提供することである。
【課題を解決するための手段】
【０００８】
(1) 本発明に係る釣用バケツは、生き餌を収容することができる収容室が区画されたバケツ本体と、収容室の内壁面に設けられ、当該収容室に導入される空気供給用チューブを保持するチューブ保持部とを有し、当該チューブ保持部は、上記空気供給用チューブを周方向に沿って巻回する帯状部材を備えている。
【０００９】
バケツ本体の収容室に生き餌（典型的にはアジ）が海水と共に収容される。この海水に空気を供給するために、空気供給装置がバケツ本体に装着されることがある。空気供給装置は広く知られたものであり、一般にエアポンプ及びエアポンプに接続された空気供給用チューブを備えている。この空気供給用チューブが上記収容室に導入される。通常、この空気供給用チューブの先端にエアストーンが装着される。
【００１０】
釣人は、釣用バケツから生き餌を取り出す際には、小網等を用いて生き餌を掬う。上記空気供給用チューブは、チューブ保持部により保持されている。このチューブ保持部は、上記収容室を区画する内壁面に設けられているから、空気供給用チューブ及びエアストーンは、収容室内で安定する。したがって、釣人が上記収容室に小網を差し入れ、生き餌を追いかけた場合、仮に小網が空気供給用チューブやエアストーンに衝突したとしても、これらがバケツ本体から外に出てしまうことがない。しかも、チューブ保持部は帯状部材を備えており、この帯状部材が空気供給用チューブに巻回されることによって当該空気供給用チューブが保持されるので、保持構造が簡単且つ安価である。
【００１１】
(2) 上記帯状部材は、上記空気供給用チューブを囲繞保持する環状姿勢と、上記空気供給用チューブの保持を開放する開放姿勢との間で姿勢変化可能であり、且つ当該帯状部材を一定の固定力で上記環状姿勢に固定するロック部材を備えているのが好ましい。
【００１２】
この構成では、帯状部材が空気供給用チューブを囲繞して環状姿勢となったとき、ロック部材により当該姿勢が維持される。これにより、空気供給用チューブ及びエアストーンが上記収容室内で確実に安定し、当該収容室から出てしまうことが確実に防止される。しかも、このロック部材は、一定の固定力で帯状部材を上記環状姿勢に固定するから、当該固定を解除する向きに上記一定の固定力を超える外力がロック部材に作用すると、帯状部材が開放姿勢となり、空気供給用チューブの保持が解除される。これにより、空気供給用チューブ及びエアストーンの着脱作業が容易となる。
【００１３】
(3) 上記ロック部材は、ソケット及び当該ソケットに対して嵌合するスタッドを備えたスナップからなるのが好ましい。
【００１４】
この構成では、ロック部材がきわめて簡単な構造であり、安価に実現される。
【００１５】
(4) 上記収容室を区画する内壁面は、対向する一対の平面状部並びに各平面状部の一端同士及び他端同士をそれぞれ連続する一対の曲面状部を備えており、上記チューブ保持部は、上記平面状部と上記曲面状部との境界に配置されているのが好ましい。
【００１６】
この構成では、収容室を形成する空間の横断面形状は、楕円形状となる。生き餌は、内壁面に沿って周回運動をするが、この周回運動の際に上記平面状部に沿って真直に泳ぎ、上記曲面状部に沿って旋回する。このように上記周回運動に変化があるので、生き餌の保存にとって好ましい。また、上記チューブ保持部が上記平面状部と上記曲面状部との境界に配置されることにより、当該チューブ保持部が生き餌の周回運動の妨げになりにくい。したがって、生き餌の体力が長時間にわたって維持される。
【００１７】
なお、上記収容室を形成する空間の横断面形状が楕円形状であるから、バケツ本体の外形も同様に楕円状に形成され得る。すなわち、バケツ本体の外壁面も平面部分と湾曲部分とを有する。そして、たとえばバケツ本体に肩掛けベルトが設けられて、釣人が肩掛けベルトを用いてバケツ本体を肩に掛けた場合、バケツ本体の上記平面部分が釣人の身体に接触することになる。このため、バケツ本体が円形等である場合に比べて釣人の身体に安定して当接するので、釣人にとって持ち運びがし易いという利点がある。
【発明の効果】
【００１８】
本発明によれば、空気供給用チューブ及びエアストーンがバケツ本体内で安定するので、釣人は、素早く生き餌を取り出し、これを迅速に釣針等に装着することができる。
【図面の簡単な説明】
【００１９】
【図１】図１は、本発明の一実施形態に係る釣用バケツの斜視図である。
【図２】図２は、本発明の一実施形態に係る釣用バケツの斜視図であり、バケツ本体の上面蓋が開放された状態を示す。
【図３】図３は、本発明の一実施形態に係る釣用バケツのバケツ本体の要部拡大斜視図である。
【図４】図４は、本発明の一実施形態に係る釣用バケツのバケツ本体の要部拡大斜視図である。
【発明を実施するための形態】
【００２０】
以下、適宜図面が参照されつつ、好ましい実施形態に基づいて本発明が詳細に説明される。なお、本実施形態は本発明の一実施態様にすぎず、本発明の要旨が変更されない範囲で実施態様が変更され得る。
【００２１】
図１は、本発明の一実施形態に係る釣用バケツの斜視図である。
【００２２】
この釣用バケツ１０は、たとえばイカ釣りの際に使用され、生き餌としてのアジを収容し生きたまま保存することができる。釣用バケツ１０は、バケツ本体１１と、バケツ本体１１に設けられた上面蓋１２及びポケット１３とを備えている。このポケット１３は、空気供給装置を収容するものである。この空気供給装置は、バケツ本体１１内に酸素（空気）を供給するためのものであり、図示されていないエアポンプと、このエアポンプに接続され、空気をバケツ本体１１内に導くエアチューブ１４と、このエアチューブ１４の先端に設けられたエアストーン１５（図２参照）とを備えている。
【００２３】
図２は、バケツ本体１１の上面蓋１２が開放された状態の釣用バケツ１０の斜視図である。
【００２４】
図１及び図２が示すように、バケツ本体１１は、上面に開口２３を有する容器状に形成されている。本実施形態では、バケツ本体１１は、エチレン酢酸ビニル共重合体（ＥＶＡ）その他の樹脂からなる。バケツ本体１１は、底部１６と、当該底部１６に連続する側壁１７とを有する。
【００２５】
底部１６は、平板状の部材である。底部１６は、二重構造を有し、断熱材を備えている。底部１６は、重ねられた２枚のＥＶＡシートと、これらの間に挟み込まれた断熱材（不図示）とを有する。この断熱材は、たとえば発砲スチロールや発泡ウレタン等の発泡スポンジが採用される。なお、断熱材が省略され、底部１６が単一の樹脂シートにより構成されてもよい。また、底部１６は、楕円形状に形成されている。すなわち、底部１６は、対向する一対の真直縁１８と、これら真直縁１８同士をそれぞれ連続する一対の湾曲縁１９とを備えている。
【００２６】
側壁１７は、上記真直縁１８から上方に延びる一対の平板２０と、これら平板２０同士を連続する一対の曲板２１とを有する。これら平板２０及び曲板２１もＥＶＡシートにより構成されており、具体的には、ＥＶＡシートが底部１６の周囲を取り囲むように配置されることによって、側壁１７が形成されている。この側壁１７の上端部は、上記ＥＶＡシートが外側に折り返されて上端縁部２２が形成されている。この上端縁部２２は、内部に楕円形状に形成されたコア材を備えている。このコア材はステンレス鋼からなる線材が採用され、このコア材に上記ＥＶＡシートが巻き付けられている。この上端縁部２２が設けられることにより、バケツ本体１１の開口２３の周縁部の剛性が向上する。もっとも、このコア材は省略されてもよい。
【００２７】
側壁１７の内壁面３２及び底部１６の内壁面３３によって、バケツ本体１１内に収容室３４が区画形成されている。側壁１７の内壁面３２は、上記平板２０に対応する一対の平面状部３５と、上記曲板２１に対応する一対の曲面状部３６とを有する。一方の曲面状部３６は、一対の平面状部３５の一端同士を連続しており、他方の曲面状部３６は、一対の平面状部３５の他端同士を連続している。この収容室３４に生き餌及び海水が収容され、生き餌は、収容室３４内で生きたまま保存される。
【００２８】
上記ポケット１３は、収容袋４５を備えている。この収容袋４５が側壁１７の外面に固定されている。この収容袋４５は、ＥＶＡにより構成されており、側壁１７に熱融着されている。収容袋４５の容積は、上記エアポンプが収容されるために十分な大きさである。収容袋４５は、面ファスナー４６を備えており、開閉摘み４７が操作されることによって収容袋４５が開閉する。
【００２９】
上記上面蓋１２は、バケツ本体１１の開口２３を開閉する。上面蓋１２もＥＶＡからなり、単一のシート状に形成されている。この上面蓋１２は、面ファスナー２４を介してバケツ本体１１に取り付けられている。面ファスナー２４は、開閉摘み２５、２６を備えており、この開閉摘み２５、２６がスライドされることによって、上面蓋１２は、図１が示すようにバケツ本体１１の開口２３を閉塞し、また、図２が示すようにバケツ本体１１の開口２３を開放する。
【００３０】
本実施形態では、上面蓋１２にスナップ２７が設けられている。このスナップ２７は、スタッド２８及びソケット２９を備え、これらが上面蓋１２に所定の間隔で配置されている。このスナップ２７が設けられているので、上面蓋１２が開放された状態でスタッド２８とソケット２９が嵌め合わされることにより、上面蓋１２の開放状態が維持される（図２参照）。もっとも、このスナップ２７が省略されていてもよい。また、上面蓋１２にチューブ挿通孔３０が設けられており、このチューブ挿通孔３０にハトメ３１が嵌め込まれている。上記エアチューブ１４は、このチューブ挿通孔３０に挿通され、上記収容室３４に導かれている。
【００３１】
図３及び図４は、バケツ本体１１の要部拡大斜視図であって、収容室３４の一部を拡大して表示している。
【００３２】
図２及び図３が示すように、上記収容室３４の内壁面３２にチューブ保持部３７が設けられている。このチューブ保持部３７は、ＥＶＡからなる巻回テープ３８（本発明における「帯状部材」の一例）と、スナップ３９とを備えている。巻回テープ３８の一端部４０は、上記内壁面３２に固着されている。この巻回テープ３８は、典型的には熱融着により上記内壁面３２に固着される。本実施形態では、このチューブ保持部３７は、上記内壁面３２のうち、上記平面状部３５と上記曲面状部３６との間の境界部４１に取り付けられている。すなわち、上記巻回テープ３８の一端部４０は、上記境界部４１であって、底部１６の近傍に熱融着されている。
【００３３】
巻回テープ３８は、細長帯状に形成されている。したがって、この巻回テープ３８は、上記エアチューブ１４を周方向に沿って巻回することができる。つまり、巻回テープ３８は、エアチューブ１４を周方向に取り囲むように環状に形成されている。本実施形態では、巻回テープ３８に上記スナップ３９が設けられているから、巻回テープ３８は、エアチューブ１４を囲繞保持した姿勢（環状姿勢）に固定されている。このスナップ３９は、上記上面蓋１２に設けられたスナップ２７と同様の構成であり、図３が示すようにスタッド４２及びソケット４３を備えている。同図では、スタッド４２がソケット４３に嵌め込まれることにより、巻回テープ３８は環状姿勢に保持されている。
【００３４】
巻回テープ３８の他端部４４が引っ張られると、上記スタッド４２から上記ソケット４３が外れる。これにより、巻回テープ３８は、図４が示すように真直な状態となり、上記エアチューブ１４の保持を解除した姿勢（開放姿勢）に変化する。これにより、エアチューブ１４及びエアストーン１５は、自由に移動することができる。
【００３５】
なお、手提げベルトないし肩掛けベルトがバケツ本体１１に設けられていてもよい。このよう手提げベルトないし肩掛けベルトは、たとえばＥＶＡから構成され、上記側壁１７に熱融着等により固定され得る。これにより、釣用バケツ１０の持ち運びが容易になる。
【００３６】
本実施形態に係る釣用バケツ１０は、次のように使用される。
【００３７】
まず、バケツ本体１１にアジが海水と共に収容される。バケツ本体１１のポケット１３に上記エアポンプが収容される。上記エアチューブ１４が上面蓋１２に設けられたハトメ３１を貫通して収容室３４に導かれる。このエアチューブ１４の先端にエアストーン１５が取り付けられ、これが底部１６に載置される。上記エアポンプが作動することによって空気がエアストーン１５から放出され、収容室３４内の海水に酸素が供給される。
【００３８】
釣人は、素手であるいは小網を用いて収容室３４からアジを取り出す。このとき、アジを追いかける釣人の手や小網がエアチューブ１４に接触することがある。エアチューブ１４はチューブ保持部３７により保持されているから、釣人の手や小網がエアチューブ１４に接触したとしても、エアチューブ１５及びエアストーン１５は収容室３４内で安定する。したがって、エアチューブ１４やエアストーン１５が収容室３４から外に飛び出してしまうことがない。その結果、釣人は、素早く生き餌を取り出し、これを迅速に釣針等に装着することができる。なお、本実施家形態では、チューブ保持部３７は巻回テープ３８を備えており、この巻回テープ３８がエアチューブ１４に巻き付けられることによって当該エアチューブ１４が保持されるので、チューブ保持部３７の構造が簡単であり、安価に構成されるという利点がある。
【００３９】
また、本実施形態では、巻回テープ３８が環状姿勢に変化することによってエアチューブ１４を囲繞保持し、スナップ３９によって当該姿勢が維持される。したがって、エアチューブ１４及びエアストーン１５が上記収容室３４から飛び出てしまうことが確実に防止される。しかも、このスナップ３９は、一定の固定力で巻回テープ３８を環状姿勢に固定しているだけであるから、釣人が巻回テープ３８を引っ張ることによって簡単にスナップ３９による固定が解除される。これにより、巻回テープ３８が開放姿勢となり、エアチューブ１４の保持が解除される。その結果、釣人が意図的にエアチューブ１４及びエアストーン１５を収容室３４から出し入れしようとしたときに、それらの作業が容易となる。
【００４０】
特に、本実施形態では、前述のように収容室３４が楕円形状となっている（図２参照）。アジは、内壁面３２に沿って泳ぐが、このとき、アジは、平面状部３５に沿って真直に泳ぎ、上記曲面状部３６に沿って旋回する。収容室３４が楕円形状に形成されることによってアジの泳ぎに変化があり、生き餌の保存にとって好ましい。また、上記チューブ保持部３７が上記平面状部３５と上記曲面状部３６との境界部４１に配置されることにより、チューブ保持部３７がアジの泳ぎの妨げになりにくい。したがって、収容室３４に収容されたアジの体力が長時間にわたって維持される。
【００４１】
なお、本実施形態では、前述のように、バケツ本体１１の外形形状も楕円状に形成されている。このため、たとえば上記肩掛けベルトが設けられて、釣人が当該肩掛けベルトを用いてバケツ本体１１を肩に掛けた場合、バケツ本体１１の平板２０（図１参照）が釣人の身体に接触することになる。したがって、バケツ本体１１が釣人の身体に安定して当接するので、釣人にとって釣用バケツ１０の持ち運びがし易いという利点がある。
【符号の説明】
【００４２】
１０・・・釣用バケツ
１１・・・バケツ本体
１６・・・底部
１７・・・側壁
３２・・・内壁面
３３・・・内壁面
３４・・・収容室
３５・・・平面状部
３６・・・曲面状部
３７・・・チューブ保持部
３８・・・巻回テープ
３９・・・スナップ
４０・・・一端部
４１・・・境界部
４２・・・スタッド
４３・・・ソケット
【図１】
2010273623.tif 000003
【図２】
2010273623.tif 000004
【図３】
2010273623.tif 000005
【図４】
2010273623.tif 000006